【事件の表示】
　特許第２８１４２７１号「パチンコ機」の請求項１ないし請求項３に係る特許に対する特許異議の申立てについて、次のとおり決定する。
【結　論】
　訂正を認める。
　特許第２８１４２７１号の請求項１ないし３に係る特許を維持する。
【理　由】
１．手続の経緯
　特許第２８１４２７１号の請求項１、請求項２および請求項３に係る発明は、平成１年９月１日に特許出願され、平成１０年８月１４日に設定登録がなされ、その後、特許異議申立人細江裕実より特許異議の申立てがなされ、取消理由通知がなされ、その指定期間内である平成１２年２月１５日に訂正請求がなされたものである。
２．訂正の適否についての判断
（１）訂正の要旨
訂正事項ａ
　特許請求の範囲の請求項（１）ないし（３）を、
「（１）．遊技板（３）に設けられる入賞球受けを通してセーフ球となったパチンコ球を前記遊技板（３）の背後に設けられる球寄せ室（９）に受入れ順次セーフ球通路（１５）へ送り出すようにしたパチンコ機において、前記球寄せ室（９）はパチンコ球１個の直径を越える奥行き幅を有する本体部（９ａ）と、この本体部（９ａ）の後方に同じくパチンコ球１個の直径を越える奥行き長さをもって拡張形成し、背後を背面板（１２）で塞いで前記本体部（９ａ）に内部を結合させ一つの空間とする貯留空間（９ｂ）とから構成すると共に、該球寄せ室（９）の底面板（１３）を前記貯留空間（９ｂ）の増設に伴わせて同じ奥行き幅に拡大し、該底面板（１３）上に前記セーフ球となったパチンコ球を分散した状態で落下可能とする一方、前記底面板（１３）には前記セーフ球通路（１５）に向けてパチンコ球を一列に整列して送る整列樋（１４）を接続してなることを特徴としたパチンコ機。
（２）．特許請求の範囲第１項の記載において、球寄せ室（９）の底面板（１３）は本体部（９ａ）の奥行き幅に加えて延長拡幅が少なくともパチンコ球１個の直径を越えるものであることを特徴としたパチンコ機。
（３）．特許請求の範囲第１項の記載において、球寄せ室（９）の背面板（１２）は遊技板（３）に設けられる入賞球受けの全てを囲む範囲に亘り後退させて貯留空間（９ｂ）をけいせいすることを特徴としたパチンコ機。」と訂正する。
訂正事項ｂ
　明細書第５頁１３行目「パチンコ　を」を、「パチンコ機を」と訂正する。
訂正事項ｃ
　明細書第１７頁４行「遊技板中に」を、「遊技中に」と訂正する。
（２）訂正の目的の適否、新規事項の有無及び拡張・変更の存否
訂正事項ａについて
　明細書第８頁１３行〜第９頁６行に、「球寄せ室９は板部２ａの背面に対し約パチンコ球１個の直径を越える間隔において対設される前記ベース板５を基準にして本体部９ａが形成され、この後方に枠体８の囲繞によって拡張された貯留空間９ｂが形成され、この両者の結合によって一つの空間、つまり球寄せ室が形成される。上記貯留空間９ｂを形成する枠体８は上面部と左右側面部を構成し、後方への突き出し幅は前記ベース板５の板部２ａに対する間隔と同様に、このベース板５からパチンコ球１個の直径を越える長さにして、また底部は本体部９ａと共通の底面板１３によって塞いで球寄せ室９を独立した空間を形成する。」と記載されれていること及び第３図および第４図の記載からみて、
　上記訂正事項ａは、願書に添付した明細書又は図面に記載した事項の範囲内のものであり、新規事項ではなく、実質上特許請求の範囲を拡張又は変更するものではなく、特許請求の範囲の減縮を目的とするものである。
訂正事項ｂについて
　訂正事項ｂは、明りょうでない記載の釈明を目的とするものである。
訂正事項ｃについて
　訂正事項ｃは、誤記の訂正を目的とするものである。
（３）独立特許要件の判断
　訂正請求による訂正明細書の請求項１、請求項２及び請求項３に係る発明は、訂正後の特許請求の範囲の請求項１、請求項２及び請求項３に記載された事項により特定される次のとおりのものと認める。
「（１）．遊技板（３）に設けられる入賞球受けを通してセーフ球となったパチンコ球を前記遊技板（３）の背後に設けられる球寄せ室（９）に受入れ順次セーフ球通路（１５）へ送り出すようにしたパチンコ機において、前記球寄せ室（９）はパチンコ球１個の直径を越える奥行き幅を有する本体部（９ａ）と、この本体部（９ａ）の後方に同じくパチンコ球１個の直径を越える奥行き長さをもって拡張形成し、背後を背面板（１２）で塞いで前記本体部（９ａ）に内部を結合させ一つの空間とする貯留空間（９ｂ）とから構成すると共に、該球寄せ室（９）の底面板（１３）を前記貯留空間（９ｂ）の増設に伴わせて同じ奥行き幅に拡大し、該底面板（１３）上に前記セーフ球となったパチンコ球を分散した状態で落下可能とする一方、前記底面板（１３）には前記セーフ球通路（１５）に向けてパチンコ球を一列に整列して送る整列樋（１４）を接続してなることを特徴としたパチンコ機。
（２）．特許請求の範囲第１項の記載において、球寄せ室（９）の底面板（１３）は本体部（９ａ）の奥行き幅に加えて延長拡幅が少なくともパチンコ球１個の直径を越えるものであることを特徴としたパチンコ機。
（３）．特許請求の範囲第１項の記載において、球寄せ室（９）の背面板（１２）は遊技板（３）に設けられる入賞球受けの全てを囲む範囲に亘り後退させて貯留空間（９ｂ）をけいせいすることを特徴としたパチンコ機。」
（引用例）
　当審が通知した取消理由で引用した引用例には、それぞれ以下のとおり記載されている。
引用例１：実願昭６１−１６４８８１号（実開昭６３−７１０８１号公報）全文明細書及び図面（甲第１号証）
「遊技盤の裏面に導かれた入賞球は機構板の球寄せ空間を下方へ落下し、傾斜面により自然に一列に整列して入賞球集合樋上へ集められることとなる。これによって、球づまりの要因となる球どうしの噛み合い現象が解消される。」(公報第4頁12行~16行)
「機構板4は、閉止した状態において遊技盤2の裏面に相対する前面側にパチンコ機1の直径よりも大きな奥行巾L１とした球寄せ空間5が形成され、その球寄せ空間5の下方部に入賞球集合樋6が形成される。入賞球集合樋6は,遊技盤の表面の入賞装置から裏面に導かれる入賞球を集めて機構板4の後面側へ送り出すもので、一方向へ下り傾斜しその傾斜下端に開ロ部7が形成される。」(公報第5頁3行~11行)
「第2図及び第3図に示すように本考案によれば、前記機構板4の板状部4aの下方位置に傾斜面17を設け、この傾斜面17により入賞球集合樋6のすぐ上部に位置した球寄せ空間5の奥行巾L２をその傾斜面17より上方に位置した球寄せ空間5の奥行巾L１より小とし、かつパチンコ球の直径よりやや大きく形成する。このように構成された本考案の機構板4によれば、遊技盤2の裏面に導かれた入賞球は上方部分の球寄せ空間L１を下方へ落下し、傾斜面17により自然に整列して入賞球集合樋6上へ集められる。また、傾斜面17と球寄せ空間5の相対的に小さい奥行巾L２とによって球どうしの噛み合い現象が解消されることになる。これによって入賞球は入賞球集合樋6上をスムーズに流れ、その開ロ部7から入賞球排出処理装置12へ1個づつ確実に送られる。」(公報第6頁10行~第7頁6行)
引用例２：実願昭６０−１１０３８号（実開昭６１−１２７７８６号公報）の全文明細書及び図面（甲第２号証）
「入賞球集合空間凹部21はその下方において入賞球を一箇所に集合させる集合樋23近傍の奥行巾1(第3図参照)をパチンコ玉の直径よりもやや大きく形成する一方、該集合樋23上方の空間凹部の奥行巾Lを前記奥行巾1 よりも相対的に大きく形成してあり、かつ奥行巾の異なる相互の凹部を傾斜面24にて連結した構造となっている。」(公報第7頁1行~7行）
引用例３：実願昭５４−１６７８７８号（実開昭５６−８４８８１号公報）の全文明細書及び図面（甲第３号証）
「第4図(a)を参照して入賞玉貯留整列部材40の詳細を説明する。入賞玉貯留整列部材40はその上流側が多量の賞品玉を貯留し得るように幅広形状、または幅広形状でありかつ1個の賞品玉の直径よりも深い深さを有するように、入賞玉貯留部41を形成し、」(公報第13頁13行~18行を参照。)
（対比・判断）
　本件請求項１に係る発明と、上記引用例１〜引用例３の刊行物にそれぞれ記載された発明とを対比すると、これらの引用例記載の発明は、本件請求項１に係る発明の特定事項である「球寄せ室（９）はパチンコ球１個の直径を越える奥行き幅を有する本体部（９ａ）と、この本体部（９ａ）の後方に同じくパチンコ球１個の直径を越える奥行き長さをもって拡張形成し、背後を背面板（１２）で塞いで前記本体部（９ａ）に内部を結合させ一つの空間とする貯留空間（９ｂ）とから構成すると共に、該球寄せ室（９）の底面板（１３）を前記貯留空間（９ｂ）の増設に伴わせて同じ奥行き幅に拡大し、該底面板（１３）上に前記セーフ球となったパチンコ球を分散した状態で落下可能とする」構成を備えておらず、また、前記構成を示唆する記載も認められない。
　さらに、上記引用例１〜引用例３に記載された発明を寄せ集めたとしても、当業者が前記構成を容易に想到することができないものと認める。
　本件請求項１に係る発明は、前記構成を備えることにより明細書に記載された「本発明は、セーフ球を受ける球寄せ室を従来のパチンコ機において実施されている奥行き幅に加えて該球寄せ室の後部に貯留空間を増設して拡大させ、且つその底面板を後方へ向けて拡幅したことからこの底面板上に落下したセーフ球が重なり合った状態に滞留することがなく、それぞれは底面板に直接接触してその勾配に誘導されるものとなり、整列しやすく、従って該球寄せ室における球詰まりを有効に回避できることになる。」という顕著な効果を奏するものであるから、本件請求項１に係る発明は、上記引用例１〜引用例３記載の発明に基づいて当業者が容易に発明をすることができないものと認める。
　また、本件請求項２および請求項３に係る発明は、請求項１を引用した発明であり、前記対比・判断で示したとおり本件請求項１に係る発明が、上記引用例１〜引用例３記載の発明に基づいて当業者が容易に発明をすることができないものであるので、同様の理由により、本件請求項２および請求項３に係る発明は、上記引用例１〜引用例３記載の発明に基づいて当業者が容易に発明をすることができないものと認める。
　以上のとおりであるから、本件請求項１乃至請求項３に係る発明は、特許出願の際独立して特許を受けることができるものと認める。
（４）むすび
　以上のとおりであるから、上記訂正は特許法第１２０条の４第２項及び第３項において準用する特許法第１２６条第２−４項の規定に適合するので、当該訂正を認める。
３．特許異議申立てについての判断
　本件請求項１乃至請求項３に係る発明は、訂正明細書の請求項１乃至請求項３に記載された事項により特定されるとおおりのものである（２．（３）を参照）。
異議申立ての理由の概要
　異議申立人は、甲第１号証（実願昭６１−１６４８８１号（実開昭６３−７１０８１号公報）の全文明細書及び図面）、甲第２号証（実願昭６０−１１０３８号（実開昭６１−１２７７８６号公報）の全文明細書及び図面）、甲第３号証（実願昭５４−１６７８７８号（実開昭５６−８４８８１号公報）の全文明細書及び図面）および甲第４号証（実願昭４６−９９５９８号（実開昭４８−５７１８５号公報）の全文明細書及び図面）を提出して、本件請求項１に係る発明は、甲第２号証に記載された発明であるから特許法第２９条第１項第３号の規定に該当し、甲第１号証に甲第２号証（又は甲第３号証）を適用することにより、当業者が容易に発明をすることができたものであるから、特許法第２９条第２項の規定に該当し、特許法第１１３条第２号の規定により特許を取り消すべきものであり、また、本件請求項２に係る発明は、甲第２号証に甲第甲第４号証を適用することにより、当業者が容易に発明をすることができたものであるから、特許法第２９条第２項の規定に該当し、特許法第１１３条第２号の規定により特許を取り消すべきものであり、さらに、本件請求項３に係る発明は、甲第２号証に記載された発明であるから特許法第２９条第１項第３号に該当し、甲第１号証に甲第２号証を適用することにより、当業者が容易に発明をすることができたものであるから、特許法第２９条第２項の規定に該当し、特許法第１１３条第２号の規定により特許を取り消すべきものである旨主張している。
（判断）　  
　上記甲第１号証乃至甲第３号証は、取消理由で引用した引用例１乃至引用例３と同一のものであり、甲第１号証乃至甲第３号証に記載された考案には、上記２．（３）で示したとおり、本件請求項１に係る発明の特定事項である「球寄せ室（９）はパチンコ球１個の直径を越える奥行き幅を有する本体部（９ａ）と、この本体部（９ａ）の後方に同じくパチンコ球１個の直径を越える奥行き長さをもって拡張形成し、背後を背面板（１２）で塞いで前記本体部（９ａ）に内部を結合させ一つの空間とする貯留空間（９ｂ）とから構成すると共に、該球寄せ室（９）の底面板（１３）を前記貯留空間（９ｂ）の増設に伴わせて同じ奥行き幅に拡大し、該底面板（１３）上に前記セーフ球となったパチンコ球を分散した状態で落下可能とする」構成を備えておらず、また、前記構成を示唆する記載も認められない。
　したがって、本件請求項１に係る発明は、甲第２号証に記載された発明と同一であるとも、甲第１号証に記載された発明と甲第２号証（又は甲第３号証）に記載された発明とに基づいて当業者が容易に発明をすることができたものとすることはできない。
　さらに、検討すると、甲第４号証には、「小幅の小空部ｒとその背面に、適宜の裏部品を収容架設し得る相当奥行幅の大空部Ｒを形成した・・・カバ−兼用玉寄せ装置。」（実用新案登録請求の範囲を参照）と記載されている。しかしながら、本件請求項２に係る発明は、請求項１に係る発明を引用した発明であり、かつ、甲第２号証には、本件請求項１の上記特定事項の記載がなく、または、それを示唆する記載もないので、たとえ、甲第２号証に記載された発明に甲第４号証に記載された発明を適用したとしても、請求項２に係る発明を当業者が容易に発明をすることができたものとすることはできない。
　さらに、請求項３に係る発明は、請求項１に係る発明を引用した発明であるので、甲第２号証に記載された発明と同一のものであるとも、甲第１号に記載された発明と甲第２号証に記載された発明とに基づいて当業者が容易に発明をすることができたものとすることはできない。
　よって、異議申立人の主張は採用できない。
４．むすび
　以上のとおりであるから、特許異議申立ての理由および証拠によっては、本件請求項１乃至請求項３に係る特許を取り消すことはできない。
　また、他に本件請求項１乃至請求項３に係る特許を取り消すべき理由を発見しない。
　したがって、本件請求項１乃至請求項３に係る特許は拒絶の査定をしなければならない特許出願に対してされたものとは認めない。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第１項及び第２項の規定により、上記のとおり決定する。
【異議決定日】
平成１２年６月７日（２０００．６．７）
【訂正の要旨】
訂正の要旨
訂正事項ａ
　特許請求の範囲の請求項（１）ないし（３）を、
「（１）．遊技板（３）に設けられる入賞球受けを通してセーフ球となったパチンコ球を前記遊技板（３）の背後に設けられる球寄せ室（９）に受入れ順次セーフ球通路（１５）へ送り出すようにしたパチンコ機において、前記球寄せ室（９）はパチンコ球１個の直径を越える奥行き幅を有する本体部（９ａ）と、この本体部（９ａ）の後方に同じくパチンコ球１個の直径を越える奥行き長さをもって拡張形成し、背後を背面板（１２）で塞いで前記本体部（９ａ）に内部を結合させ一つの空間とする貯留空間（９ｂ）とから構成すると共に、該球寄せ室（９）の底面板（１３）を前記貯留空間（９ｂ）の増設に伴わせて同じ奥行き幅に拡大し、該底面板（１３）上に前記セーフ球となったパチンコ球を分散した状態で落下可能とする一方、前記底面板（１３）には前記セーフ球通路（１５）に向けてパチンコ球を一列に整列して送る整列樋（１４）を接続してなることを特徴としたパチンコ機。
（２）．特許請求の範囲第１項の記載において、球寄せ室（９）の底面板（１３）は本体部（９ａ）の奥行き幅に加えて延長拡幅が少なくともパチンコ球１個の直径を越えるものであることを特徴としたパチンコ機。
（３）．特許請求の範囲第１項の記載において、球寄せ室（９）の背面板（１２）は遊技板（３）に設けられる入賞球受けの全てを囲む範囲に亘り後退させて貯留空間（９ｂ）をけいせいすることを特徴としたパチンコ機。」と訂正する。
訂正事項ｂ
　明細書第５頁１３行目「パチンコを」を、「パチンコ機を」と訂正する。
訂正事項ｃ
　明細書第１７頁４行「遊技板中に」を、「遊技中に」と訂正する。
（５４）【発明の名称】
パチンコ機
（５７）【特許請求の範囲】
（１）．
遊技板（３）に設けられる入賞球受けを通してセーフ球となったパチンコ球を前記遊技板（３）の背後に設けられる球寄せ室（９）に受入れ順次セーフ球通路（１５）へ送り出すようにしたパチンコ機において、前記球寄せ室（９）はパチンコ球１個の直径を越える奥行き幅を有する本体部（９ａ）と、この本体部（９ａ）の後方に同じくパチンコ球１個の直径を越える奥行き長さをもって拡張形成し、背後を背面板（１２）で塞いで前記本体部（９ａ）に内部を結合させ一つの空間とする貯留空間（９ｂ）とから構成すると共に、該球寄せ室（９）の底面板（１３）を前記貯留空間（９ｂ）の増設に伴わせて同じ奥行き幅に拡大し、該底面板（１３）上に前記セーフ球となったパチンコ球を分散した状態で落下可能とする一方、前記底面板（１３）には前記セーフ球通路（１５）に向けてパチンコ球を一列に整列して送る整列樋（１４）を接続
（２）．特許請求の範囲第１項の記載において、球寄せ室
（９）
（１３）は本体部（９ａ）の奥行き幅に加えて
（３）．特許請求の範囲第１項の記載において、球寄せ室
（９）
（１２）
（３）
（９ｂ）
【発明の詳細な説明】
〔産業上の利用分野〕
　本発明は、パチンコ機、とりわけパチンコ機の遊技板の背後に設けられるセーフ球を取りまとめるためのセーフ球の球寄せ室について改良したパチンコ機に関する。
〔従来の技術及び問題点〕
　一般にパチンコ機は、遊技板に設けられる入賞球受けを通してセーフ球となったパチンコ球（打球）を、遊技板の背後に設ける球寄せ室に受け入れ、ここから整列させながら順次セーフ球通路へと送り出すようにしてあり、その先においてセーフ球通路に臨ませたセーフ球検出装置で個々のセーフ球を検出し、賞球装置をセーフ球の数に応じて作動させ、遊技者に賞球を放出するように構成しているが、入賞球受けを通して一時に多数のセーフ球が転入すると、球寄せ室に掃溜して球詰まりを起こす問題があった。ことに、所謂「大当り」と称せられる多量入賞可能な状態となったとき、一時に多数のセーフ球が連続的に飛入することが多く、このため球寄せ室の底面板上に滞溜しやすくなり、セーフ球通路への流れが詰まってセーフ球検出装置の作動が滞ることがある。
　この球詰まりの第１の原因は一時に多数のセーフ球が飛入することにあるが、同時に賞球の放出に所要の時間がかゝることに合わせてセーフ球検出装置の作動に時間をかけてタイミングを合わせてあること、またそのため一個づつのセーフ球を順次送り出すためセーフ球通路中に球切り装置を介在させてあること等が２次的な原因となっているが、しかしこれらの手段は現在のパチンコ機においては変更のできない要素となっているためこれらを改変して問題を解決することは困難である。
〔発明の目的〕
　本発明は、この様な実情に鑑み、セーフ球の球寄せ室内部において発生する球詰まり状態を他の変更のできない要素に対して影響を与えることなく改善し、セーフ球通路への円滑な誘導が行なえるよう改良したことにある。
〔問題点を解決するための手段〕
　本発明は、上記問題点を解決するため、セーフ球を受ける球寄せ室を後方に拡張し、貯留空間を形成してセーフ球の掃溜場所を確保し球の重なりによって生ずる球詰まりを解消したことにある。
　周知の様にパチンコ機の遊技板背後に設けられるセーフ球の球寄せ室は、遊技板の背面に直接設けられる場合も、また後述実施例において説明するように遊技板を固定する機構枠体の背面に沿って設けられる場合もその前後幅、つまり奥行き幅は略パチンコ球１個の直径を越える程度の深さに形成されているのが普通である。これはセーフ球が前後に並んでブリッジ現象を起こし球詰り原因を作らないための配慮によるが、同時に次に控えるセーフ球通路に対して一個づつの球を整列誘導するのが構造上困難になることによる。
　本発明はこの様な前提下において球寄せ室の底面板の一部に整列樋を組合せることによって該球寄せ室の後方への拡張を可能とし、且つ球詰まりのない円滑な誘導を可能としたのである。
　本発明における球寄せ室の拡張は球寄せ室の底面板を基準にこれを後方に向けて延長し、併せてその背面板を後退させて拡張した貯留空間を形成するもので、この貯留空間によってセーフ球の貯留容量を拡大させ一時における多数個の飛入に備えられるようにするものである。
　また、本発明は上記延長され拡幅された底面板を中央部が最も低くなるようＶ字形の傾斜面に形成してその一方の傾斜面部分に長さの途中を折り返し状に屈曲させてなる整列樋を組入れ、該傾斜底面板上に掃溜するセーフ球を該整列樋に誘導して一個づつの流れに整列し、セーフ球通路へと送り出すようにしたパチンコ機を提案することにある。
　ところで、前述したように従来から球寄せ室の奥行き幅は球の整列誘導の面から略パチンコ球１個の直径を基準にしてこれより幾分大きめの幅を選択しているが、本発明における球寄せ室の底面板の延長幅は同様の理由によってパチンコ球１個の直径より幾分広いものとすることが適当である。一方、前記整列樋は前記Ｖ字形に形成される底面板の一方の傾斜面部分に組入れるについて、長さの途中を屈曲させ折り返し状に形成して第１の整列樋区間と第２の整列樋区間から構成し、上記第１の整列樋区間はその底面を底面板の他方の傾斜面部分に連続させて傾斜方向を揃え、他方第２の整死樋区間は折り返して先端をセーフ球通路に連通させるとよい。
　整列樋における第１の整列樋区間は遊技板の背面倒に沿って溝を備え、この溝の幅を底面板の他方の傾斜面部分に接続する基端側から徐々に狭め、併せて徐々に深く形成して底面に勾配を付し、またこれに続く第２の整列樋区間はその底面の勾配を連続させながらＵ字形に後方に屈曲させ上方からみて第１の整列樋区間と並行するように折り返し、且つ徐々に幅を狭めてその先端部をセーフ球通路に連通させればよい。尚、本発明における前記貯留空間は、球寄せ室の底面板を基準にしてその背面板の適当な高さまで後退させれば拡張が得られ貯留空間の形成が可能であるが、この貯留空間を遊技板に設けられる入賞球受けの全体を包囲できる範囲に亘って形成すると、これら入賞球受けの後部控部分を受け入れることが可能となるため有利に実施することができる。
　以下、本発明を図示する実施例について更に詳述しその特徴とするところを明らかにする。
〔実施例〕
　図面第１図は本発明に係るパチンコ機の要部の背面図で、第２図は上図ＩＩ−ＩＩ線拡大縦断面図、第３図は同じくＩＩＩ−ＩＩＩ線拡大横断面図、第４図は同じくＩＶ−ＩＶ線拡大縦断面図である。図面において、１はパチンコ機の前面に一側縁を蝶着して閉塞自由に取付けられる額縁形をなす扉枠で、２はこの扉枠の背面に装備される浅い筐形に形成してなる機構枠体であり、３は機構枠体２の前面にクランプ４を介して着脱自由に取付けられる遊技板、５は賞球貯留タンク６及び賞球誘導樋７を設けるベース板、８はセーフ球寄せ室９の周囲を囲繞する枠体で、１０はこの枠体８を避けてその側方に縦に設けた賞球装置である。
　機構枠体２は金属板製であり、遊技板３を添わせる板部２ａには中央部分に遊技板の背面部を開放する窓が開設する。
　上記窓は広く実用化されているように遊技板面に備える入賞球受け（図示せず）の後部、或いは入賞球受けの後部相互を連絡する樋１１等を板蔀２ａの背後に臨ませるため開設されるもので、この窓を背後から被うように球寄せ室９が形成される。
　球寄せ室９は板部２ａの背面に対し約パチンコ球１個の直径を越える間隔をおいて対談される前記ベース板５を基準にして本体部９ａが形成され、この後方に枠体８の囲繞によって拡張された貯留空間９ｂが形成され、この両者の結合によって一つの空間、つまり球寄せ室が形成される。上記貯留空間９ｂを形成する枠体８は上面部と左右側面部を構成し、後方への突き出し幅は前記ベース板５の板部２ａに対する間隔と同様に、このベース板５からパチンコ球１個の直径を越える長さにして、その後縁に背面板１２を添わせて背後を塞ぎ、また底部は本体部９ａと共通の底面板１３によって塞いで球寄せ室９を独立した空間に形成する。
　上記底面板１３は中央部を最低位置にして略Ｖ字形に形成し、左右方向から中央部に向けて下り勾配に形成する一方、この底面板の一半の傾斜面部分を整列樋１４とし、この整列樋を介して球寄せ室９の下方に備えられるセーフ球通路１５に連絡する構造にしてある。
　整列樋１４は前記遊技板３の入賞球受けを通して球寄せ室９に不規則に転入するセーフ球を底面板１３の勾配と協働して整列させセーフ球通路１５に１個づつ誘導させるもので、図示するように折り返し状に設けられる第１の整列樋区間１４ａと第２の整列樋区間１４ｂから構成される。第１の整列樋区間は底面板１３上に落下し、滞溜するセーフ球を一列状に揃える第１段階の役割をもち、他半の傾斜面部分１３ａの下端（底面板１３の中央部）に臨む一端を受入れ口１６として底面板１３の奥行き幅に揃え、ここから底の深さを徐々に深くすると共に開口幅を徐々に狭める溝１７を形成する。
　溝１７は球寄せ室９の底面板１３の前縁側に沿って設けられ、その開口幅の狭まりによって出来る背面板１２との間に傾斜板１８を渡しこれを塞ぐようにしてある。この傾斜板１８は実質的に底面板１３の一半の傾斜面部分を構成するもので、ここに落下掃溜するセーフ球は溝１７に転がり落ちることになる。尚、第１の整列樋区間１４ａの底面は他半の傾斜面部分１３ａの傾斜方向の延長線上に沿って下り勾配に形成し、その先端部は後方に向けて折返しに屈曲させ第２の整列樋区間１４ｂに連通する。
　第２の整列樋区間は前記傾斜板１８の下方に位置し、この傾斜板によって上面を塞ぐ一方、上方からみて第１の整列樋区間１４ａに並行するように設けてある。この整列樋区間はセーフ球を一列に並べると同時に重なる球を底面に揃えて一個づつ並べるための区間で、溝１９は全長に亘って１個のセーフ球を通す幅に形成し、その底面は第１の整列樋区間の勾配に続けて下り勾配に形成してある。そして、先端部出口２０はＳ字形に屈曲させて第１の整列樋区間の受入れ口１６の直下に位置し機構枠体２の板部２ａの背面に沿って付設されるセーフ球通路１５に連通する。
　ところで、上記説明の整列樋１４はその全域を第１と第２の整列樋区間に分割し、これを折り返し状に組合せることによって限られた空間内に必要な勾配と長さをもった整列溝１７，１９を備えるものとなっているが、更にこの実施例では第１の整列樋区間を形成する枠体２１をベースにして第２の整列樋区間１４ｂを形成する樋枠２２を枢着軸２３を以て回動自由に軸着し、組合せる構造に形成して両区間を開閉可能にしてある。
　第６，７図はこの整列樋の構造を明らかにするもので、枠体２１の一端部近くに設ける軸着部２４に枢着軸２３を介して第２整列樋区間を形成する樋枠２２を回動自由に軸着し、常には樋枠の先端部側面に備える係止凸部２５を枠体２１に設ける係合孔２６に嵌め入れ止め付け両者を一体に組合せるようにしてある。この２つの枠体２１，２２による構成はプラスチック素材による成形性を考慮するものであると同時に、傾斜板１８によって上面を塞がれる第２の整列樋区間１４ｂの溝１９内部の清掃作業を円滑に行なうためであり、枢着軸２３を支点とする回動操作によって溝１９を露出させることができる（第７図参照）。尚、この整列樋は独立に形成して後述するように球寄せ室の背面板を開放したとき取り外せるようにしてある。
　図中、２７はセーフ球通路１５に臨ませた球切り装置で、２８は同じくセーフ球通路を落下するセーフ球を受けて揺動し、その通過を検出するセーフ球検出装置である。球切り装置２７は二又部２７ａに受けるセーフ球の重量で支軸２９を支点に上下に揺動し、セーフ球を１個づつ縦の通路１５ａに送り出す。この縦の通路１５ａに送られたセーフ球はここに待ち受けるセーフ球検出装置２８の揺動先端に乗り、これを球重量で支軸３０を支点に押し下げ、その下端に達したところで先端から転出し、放出路３１に誘導される。
　セーフ球検出装置２８は上記揺動を通して連絡杆３２を押し上げ、この動作を通して賞球装置１０の賞球貯留ケースのカバー３３を開放し、賞球を賞球放出樋３４に放出する。放出された賞球は樋３４中に臨むリン３５を打ち、その下方に設ける放出口３６から扉枠１の前面に揃える賞球皿（図示せず）へと誘導される。
　当該実施例ではセーフ球通路１５を含むセーフ球検出装置２８、カバー３３を備える賞球装置１０、そしてこの賞球装置に賞球を誘導する誘導樋７の一部と賞球放出樋３４等を逆Ｌ字形のケース体３７内に一括して収め、このケース体３７を蝶番３８を介して機構枠体２の板部２ａの背面に開閉自由に取付けるようにしてある。そして、前記貯留空間９ｂを囲む枠体８及び球寄せ室９の背後を塞ぐ背面板１２を上記ケース体３７の自由端縁に沿って取付け、ケース体の開放に伴わせて球寄せ室９の背後を開放できるようにしてある。
　図中、３９はケース体３７に対向させて機構枠体２の他側縁に沿って縦長に固定した枠部材であり、この枠部材に沿って枠体８の一部が設けてある。４０は背面板１２の中央部に開設した窓４１を塞ぐ箱形のケースで、遊技板背面から突き出す入賞装置４２を被う。また、４３は遊技板のアウトロ４４からのアウト球を放出する放出路である。
　本発明は上述の如く構成されるもので、遊技板の入賞球受け及び入賞装置に飛入しセーフ球となった打球は遊技板の背面に抜け出しセーフ球の球寄せ室９に転入し、それぞれは底面板１３に落下し、その勾配に従って整列樋１４の受入れ口１６に誘導されることになるが、このセーフ球の転入において、入賞球受け或いは入賞装置の飛入条件が緩和し一時に多数の入賞があったとき、この発明においては球寄せ室９の本体部９ａの後方に貯留空間９ｂが増設され、併せて底面板１３の奥行き幅が拡大されていることから、セーフ球同志の重なり状態が回避され底面板上に分散した状態で収容されることになる。そして、底面板１３上に落下したセーフ球は広く開口する整列樋１４の受入れ口１６に誘導され第１の整列樋区間１４ａに入り、溝１７を移動する間に重なり合うセーフ球は最終的に一列状態に均され、次の第２の整列樋区間１４ｂの溝１９に誘導される。
　この２つの整列樋区間は折り返し状に形成されることによって限られた空間内にセーフ球の整列に必要な長さを確保するものであり、緩やかな底面の傾斜の中で、球の重なり状態を解消することになる。整列樋１４を抜けたセーフ球は前述した如くセーフ球通路１５に入り、セーフ球検出装置２８を作動させ、賞球装置１０を作動させることになる。
　尚、上記実施例において、球寄せ室９の貯留空間９ｂは特に底面板１３の奥行き幅を拡大するため用意されるものであり、この意味から底面板に近い所に形成されゝばセーフ球の滞溜によって生じる球詰まり状態を回避するのに有効に作用するが、更に図示した様に上方に亘って大きな空間をもたせると、入賞球受けの後部の突き出しを受け入れることが可能となる。
〔発明の効果〕
　以上、実施例に基づき詳述した様に本発明は、セーフ球を受ける球寄せ室を従来のパチンコ機において実施されている奥行き幅に加えて該球寄せ室の後部に貯留空間を増設して拡大させ、且つその底面板を後方に向けて拡幅したことからこの底面板上に落下したセーフ球が重なり合った状態に滞溜することがなく、それぞれは底面板に直接接触してその勾配に誘導されるものとなり、整列しやすく、従って該球寄せ室における球詰まりを有効に回避できることになる。また、この底面板の一半に第１，第２の整列樋区間を折り返し状に備えて整列に充分な長さを確保する整列樋を連設することから確実にセーフ球の一列整列が可能であり、従って、セーフ球通路に向けて１個づつの送り出しができるものとなっている。
　この様に本発明は球寄せ室の球詰まりを解消し、セーフ球通路に対して１個づつのセーフ球を確実、且つ円滑に送り届けられることから球詰まりを原因とする遊技板中における不測の停止や故障等を有効に回避できることは言うまでもない。
【図面の簡単な説明】
　図面は本発明の一実施例を示したもので、第１図はパチンコ機の扉枠の背面に設けられる機構枠体を背後からみた要部の正面図、第２図は上図ＩＩ−ＩＩ線に沿った拡大縦断側面図、第３図は同じくＩＩＩ−ＩＩＩ線に沿った拡大横断平面図、第４図は同じくＩＶ−ＩＶ線に沿った拡大縦断側面図、第５図は整列樋とセーフ球通路の関係を示す拡大図、第６図は整列樋の拡大正面図、第７図は第２の整列樋区間を開放した状態の平面図、第８図は第７図Ａ−Ａ断面図、第９図は同じくＢ−Ｂ断面図、第１０図は同じくＣ−Ｃ断面図、第１１図は同じくＤ−Ｄ断面図、第１２図はＥ−Ｅ端面図、第１３図はＦ−Ｆ線方向から見た第２整列樋区間の側面図である。
２…機構枠体
２ａ…機構枠体の板部
３…遊技板
５…ベース板
８…枠体
９…球寄せ室
９ｂ…貯留空間
１２…背面板
１３…底面板
１４…整列樋
１５…セーフ球通路